(57)【要約】【課題】医療用として用いられ、血液中に存在する電解質、ガス種及び代謝物質濃度または赤血球容積率などを測定して分析する血液分析装置に使用される溶液を保管する溶液容器を提供する。【解決手段】本発明の血液分析装置用溶液容器は、溶液が収容される収納部と、前記収納部に結合され、その内部に長手方向に貫通孔が形成されるバルブ体と、前記バルブ体の貫通孔に配置されるバルブスプールと、前記バルブスプールに設けられる溶液漏れ防止部と、を備え、前記バルブ体は、所定距離に離れた流路及び溶液排出管路を備え、前記バルブスプールに設けられる前記溶液漏れ防止部は、溶液の外部への漏れを遮断する第１遮断部材と、前記第１遮断部材と所定距離に離れて配置され、前記流路及び前記溶液排出管路を遮断または連結する第２遮断部材とを備える 。【選択図】図６
2011504583.tif 000002
【特許請求の範囲】
【請求項１】
溶液が収容される収納部と、
前記収納部に結合され、その内部に長手方向に貫通孔が形成されるバルブ体と、
前記バルブ体の貫通孔に配置されるバルブスプールと、
前記バルブスプールに設けられる溶液漏れ防止部と、を備え、
前記バルブ体は、所定距離に離れた流路及び溶液排出管路を備え、
前記バルブスプールに設けられる前記溶液漏れ防止部は、溶液の外部への漏れを遮断する第１遮断部材と、前記第１遮断部材と所定距離に離れて配置され、前記流路及び前記溶液排出管路を遮断または連結する第２遮断部材とを備える血液分析装置用溶液容器。
【請求項２】
前記バルブスプールは、前記収納部の反対側が突出する突出部を備えることを特徴とする請求項１に記載の血液分析装置用溶液容器。
【請求項３】
前記バルブ体は、カートリッジケースに固定される係止部が設けられることを特徴とする請求項１に記載の血液分析装置用溶液容器。
【請求項４】
前記溶液排出管路は円周方向に突出することを特徴とする請求項１に記載の血液分析装置用溶液容器。
【請求項５】
前記バルブスプールは、前記第１遮断部材と第２遮断部材との間に溶液が移動するための溝部が設けられることを特徴とする請求項１に記載の血液分析装置用溶液容器。
【請求項６】
前記第１遮断部材と前記第２遮断部材はそれぞれＯリングからなることを特徴とする請求項１に記載の血液分析装置用溶液容器。
【発明の詳細な説明】
【技術分野】
【０００１】
本発明は、血液分析装置用溶液容器に係り、さらに詳細には、医療用として用いられ、血液中に存在する電解質（Ｎａ＋、Ｋ＋、Ｃｌ−など）、ガス種（ＰＯ２、ＰＣＯ２）及び代謝物質（グルコース、乳酸塩、尿素）の濃度または赤血球容積率などを測定して分析する血液分析装置に使用される溶液を保管する溶液容器に関する。
【背景技術】
【０００２】
一般的に、血液中の電解質、ガス種及び代謝物質の濃度または赤血球容積率などは人体内で恒常性を維持しており、濃度の不均衡現象が発生する場合に、その濃度の過多あるいは欠乏症状と共に各種の疾病を引き起こす。したがって、血液中の電解質、ガス種及び代謝物質の濃度または赤血球容積率などの迅速な測定は、医療陣が生体の不均衡現象から人体の機能異常及び疾病の進行状況を迅速に予測するのに役立つ。このように、血液中に含まれている電解質のイオン、ガス種及び代謝物質の濃度または赤血球容積率などを測定する装備は、血液を供給する血液供給部、センサーを備えるセンシング部、センサーに試薬を供給する試薬供給部、データ処理部及び複数の駆動原などを備えることができる。センシング部は、基準になる溶液のデータ値を測定し、血液に含まれている電解質、ガス種及び代謝物質の濃度または赤血球容積率などを測定する。さらに、コントローラーは、溶液から得たデータ値に基づき、血液に含まれている電解質の濃度、ガス種及び代謝物質の濃度または赤血球容積率などのデータ値を補正して測定の信頼度を高める。溶液は、溶液容器に保管された状態でカートリッジに収容されることができる。溶液を収容する溶液容器は、使用の直前に開放して初めて外部の汚染物質により汚染されることが防止されて、測定されたデータの信頼度を高めることができる。従来のカートリッジの溶液容器は、ユーザーが予め容器を開放して測定装置に挿入する構造を有するため、このような点に十分に対応することができなかった。
【先行技術文献】
【特許文献】
【０００３】
【特許文献１】米国特許第６，０６６，２４３号公報
【発明の概要】
【発明が解決しようとする課題】
【０００４】
したがって、本発明は、前記問題点を解決するためになされたものであって、本発明の目的は、溶液容器が収容されたカートリッジを血液分析装置の本体に固定するとき、溶液容器を開放して外部の汚染物質によって溶液が汚染されることを予め遮断することにより、測定されたデータの信頼度を高めることができる血液分析装置用溶液容器を提供するところにある。
【課題を解決するための手段】
【０００５】
前記目的を達成するために、溶液が収容される収納部と、前記収納部に結合され、その内部に長手方向に貫通孔が形成されるバルブ体と、前記バルブ体の貫通孔に配置されるバルブスプールと、前記バルブスプールに設けられる溶液漏れ防止部と、を備え、前記バルブ体は、所定距離に離れた流路及び溶液排出管路を備え、前記バルブスプールに設けられる前記溶液漏れ防止部は、溶液の外部への漏れを遮断する第１遮断部材と、前記第１遮断部材と所定距離に離れて配置され、前記流路及び前記溶液排出管路を遮断または連結する第２遮断部材とを備える血液分析装置用溶液容器を提供する。
バルブスプールは、前記収納部の反対側が突出する突出部を備えることが好ましい。バルブ体は、カートリッジケースに固定される係止部が設けられることが好ましい。 溶液排出管路は円周方向に突出することが好ましい。
【発明の効果】
【０００６】
本発明によれば、血液分析装置の本体にカートリッジが結合されるとき、溶液容器が開放される構造を有するバルブを備えて、外部の汚染物質によって溶液が汚染されることを防止することによって測定されたデータの信頼度を高めることができる。
【図面の簡単な説明】
【０００７】
【図１】本発明の実施形態による血液分析装置の外観図である。
【図２】本発明の実施形態による血液分析装置本体に結合されるカートリッジの外観図である。
【図３】本発明の実施形態による血液分析装置の要部の詳細図である。
【図４】図３の分解斜視図である。
【図５】図３のＶ−Ｖ線による断面図である。
【図６】図５に対応する図面であって、バルブが開放された状態を示す断面図である。
【発明を実施するための最良の形態】
【０００８】
以下、添付図面を参照して本発明の好ましい実施形態を詳細に説明すれば次の通りである。
【０００９】
図１は、本発明の実施形態による携帯用血液分析装置の斜視図である。携帯用血液分析装置は、血液分析装置本体１００及びカートリッジ３００（図２を参照）を備える。血液分析装置本体１００は、その外部にディスプレイ部１０１、サンプル血液を供給する血液供給部１０３などを備えることができる。また、血液分析装置本体１００は、その内部に空間を有して、カートリッジ３００が収納されることができる。また、血液分析装置本体１００には、カートリッジ３００が収納された後、外部から隔離させるためのカートリッジドア１０５を備えることができる。
【００１０】
カートリッジ３００は、血液分析装置本体１００の内部に結合されて、血液の電解質、ガス種及び代謝物質の濃度または赤血球容積率などを測定するとき、サンプル血液及び溶液で測定値をセンシングし、測定されたデータ値を血液分析装置本体１００に設けられたコントローラー（図示せず）に伝送することができる。このようなカートリッジ３００は、サンプル血液及び溶液で必要なデータを測定するセンサーカード（図示せず）、溶液を収容する溶液容器３０１などを備える。溶液は、センサーカードに伝達されて、血液中に含まれた電解質、ガス種及び代謝物質の濃度または赤血球容積率などを測定したものを補正する基準値として使用されることができる。
【００１１】
溶液容器３０１は、溶液が収容される溶液収容部３０３と、溶液収容部３０３に収容された溶液を外部に排出するバルブ３０５とを備える。溶液収容部３０３は、合成樹脂材またはアルミニウムからなるバック（ｂａｇ）からなることが好ましい。
【００１２】
前記バルブ３０５は、バルブ体３０７及びバルブスプール３０９を備える。バルブ体３０７は、中央部に長手方向に貫通した孔３０７ａが形成される。また、バルブ体３０７は、前記孔３０７ａに沿って所定の区間Ａに溶液が移動する流路３０７ｂを備える。流路３０７ｂは、溶液収容部３０３が設けられている部分から区間Ａにわたって配置されることが好ましい。バルブ体３０７は、流路３０７ｂから区間Ｂだけ離れた位置に設けられた溶液排出管路３０７ｃを備える。溶液排出管路３０７ｃは、バルブ体３０７の外周面側に向かう方向に配置される。この溶液排出管路３０７ｃには、溶液をセンサーカードなどに伝達するように合成樹脂材ホース（図示せず）などが結合されることができる。バルブ体３０７には、その先端部にカートリッジケースに固定されうる係止部３０７ｄが設けられる。係止部３０７ｄは、通常のホック状になっており、カートリッジケースに結合されることができる。
【００１３】
バルブスプール３０９は、バルブ体３０７の孔３０７ａに摺動可能に嵌合される。バルブスプール３０９は、区間Ｃに設けられた溝部３０９ａを備える。バルブスプール３０９の溝部３０９ａは、溶液が移動する通路である。バルブスプール３０９は、溝部３０９ａを基準に両側に溶液漏れ防止部としてＯリング３１１が配置される。すなわち、溶液漏れ防止部は、バルブスプール３０９を基準に両側に第１遮断部材３１１ａ及び第２遮断部材３１１ｂを備える。このような溶液漏れ防止部は、溶液の外部への漏れを防止すると共に、必要な場合、溶液収容部３０３と溶液排出管路３０７ｃとを連結して溶液を排出させる役割を行う。すなわち、第１遮断部材３１１ａは、常に区間Ｂから離れるように位置し、第２遮断部材３１１ｂは、区間Ｂに位置し、カートリッジが装着されて使用される場合には区間Ａに移動して流路３０７ｂと溶液排出管路３０７ｃとを連結させる役割を行う。また、バルブスプール３０９は、溶液収容部３０３の反対側の先端部が突出して延びる突出部３０９ｂを備える。
【００１４】
一方、バルブスプール３０９の突出部３０９ｂが配置される部分と対向する血液分析装置本体１００には、バルブスプール３０９の突出部３０９ｂを押し出しうる突出したブロックＢ（図６を参照）が設けられる。このような構造は、溶液容器３０１が収容されたカートリッジ３００が血液分析装置本体１００に結合される瞬間にバルブスプール３０９が移動して、溶液を使用できるようになる。
【００１５】
本発明の実施形態による血液分析装置用溶液容器の作動過程をさらに詳細に説明すれば次の通りである。図５は、血液分析装置本体１００にカートリッジ３００が結合される前の状態を示すバルブ３０５の断面図であり、図６は、血液分析装置本体１００にカートリッジ３００が結合された状態を示すバルブ３０５の断面図である。
【００１６】
血液分析装置本体１００にカートリッジ３００が結合される前に、溶液容器３０１のバルブ３０５は、図５に示すように、バルブスプール３０９に結合された第２遮断部材３１１ｂが区間Ｂに位置する。このとき、第２遮断部材３１１ｂが区間Ｂに位置して、流路３０７ｂや溶液排出管路３０７ｃに溶液が移動することが遮断される。この状態で、カートリッジ３００を血液分析装置本体１００に装着する。このとき、カートリッジ３００は、血液分析装置本体１００側に移動しつつ（図６で矢印で表示する） 、ブロックＢによってバルブスプール３０９の突出部３０９ｂが矢印の方向の逆方向に移動する。したがって、バルブスプール３０９が移動しつつ、第２遮断部材３１１ｂが区間Ａの中間部に位置する。第２遮断部材３１１ｂが区間Ａの中間部に位置することによって、流路３０７ｂと溶液排出管路３０７ｃとは互いに連通して溶液を排出させることができる。このとき、第１リング３１１ａは依然として溶液の外部への流出を防止するようにシーリングの役割を行う。
【００１７】
このように、本発明の実施形態は、使い捨てとして使用されるカートリッジ３００を血液分析装置本体１００に収納するときにのみ溶液を移動させるバルブ３０５を開放させて、使用の前に外部の汚染物質によって溶液が汚染されることを防止することによってデータ測定の精密度を高めることができる。
【符号の説明】
【００１８】
１００…血液分析装置本体
１０５…カートリッジドア
３００…カートリッジ
３０１…溶液容器
３０３…溶液収容部
３０５…バルブ
３０７…バルブ体
３０９…バルブスプール
３０７ｂ…流路
３０７ｃ…溶液排出管路
３１１ａ、３１１ｂ…遮断部材
【図１】
2011504583.tif 000003
【図２】
2011504583.tif 000004
【図３】
2011504583.tif 000005
【図４】
2011504583.tif 000006
【図５】
2011504583.tif 000007
【図６】
2011504583.tif 000008
【国際調査報告】
2011504583.tif 000009
2011504583.tif 000010